(57)【特許請求の範囲】
【請求項１】
吹き出し口が形成された吹き出し口面を有する室内機本体と、
運転状態を表示する表示装置と、
前記吹き出し口面の一部を切り欠いた部分に配置された、ワイヤレスリモコン通信の受光部とを備え、
前記表示装置は、
前記ワイヤレスリモコン通信の受信感度を妨げない半透明材料で構成され、且つ意匠面に前記運転状態を示す表示が記載された表示板と、
前記表示板の前記運転状態を示す表示に向けて発光する発光素子とを備え、
前記表示板が、前記受光部を前面側から覆い隠す位置に配置されており、
前記表示板の前記意匠面裏には、前記発光素子からの光により内部が照らされた状態となる切り欠きで構成された発光表示部が前記表示と視覚的に関連付けて設けられ、前記表示板の下端面において前記発光表示部の真下が、下方に延長された突部となっている
ことを特徴とする空気調和機。
【請求項２】
前記表示板の前記意匠面は、外部照明の光を反射して前記受光部を視覚的に目立たなくする
ことを特徴とする請求項１記載の空気調和機。
【請求項３】
前記運転状態を示す表示は、設定温度を示す数字で構成された複数の温度表示を含み、前記複数の温度表示のそれぞれは、前記表示板の長手方向に間隔を空けて記載されており、前記複数の温度表示のそれぞれと視覚的に関連付けられるように複数の前記発光表示部が前記表示板の前記意匠面に設けられている
ことを特徴とする請求項２記載の空気調和機。
【請求項４】
前記運転状態を示す表示は、電源ＯＮ／ＯＦＦを示すための電源状態表示を含んでおり、前記電源状態表示と視覚的に関連付けられるように前記発光表示部が前記表示板の前記意匠面裏に設けられている
ことを特徴とする請求項２又は請求項３記載の空気調和機。
【発明の詳細な説明】
【技術分野】
【０００１】
本発明は、空気調和機に関するものである。
【背景技術】
【０００２】
従来より、運転状態（設定温度や運転ＯＮ／ＯＦＦなど）を表示する表示装置とワイヤレスリモコン通信の受光部とを備えた空気調和機がある。この種の空気調和機では、運転状態の表示を正面から見てすぐわかるように表示装置を意匠面前面に配置し、また、ワイヤレスリモコン通信の受光部も、障害物によって受光感度が落ちないように意匠面前面に表示装置と並んで配置している（例えば、特許文献１参照）。
【０００３】
また、従来より、ワイヤレスリモコン通信の受光部を意匠面前面から見て目立たない位置に配置してデザイン性を向上させ、なおかつ従来レベルのワイヤレスリモコンからの制御信号の受光感度を保つようにした空気調和機もある（例えば、特許文献２参照）。この空気調和機では、受光部を、正面から見て目立たない製品外部下面部に、床面からの反射光を受光できるように設け、デザイン性と受信感度の維持の両立を図っている。
【先行技術文献】
【特許文献】
【０００４】
【特許文献１】特開平１０−１０５０７７号公報（［００１６］、図１）
【特許文献２】特開２０１０−３２１０１号公報（第３頁、図２）
【発明の概要】
【発明が解決しようとする課題】
【０００５】
特許文献１では、上述したように運転状態を表示する表示装置と受光部とが意匠面前面に並んで設けられている。このように受光部を意匠面前面に配置するとワイヤレスリモコン通信の受光感度は良くなるが、意匠面前面から見て目立ちやすく、デザイン性を損なうといった欠点があった。
【０００６】
特許文献２では、従来レベルのワイヤレスリモコン通信の受光感度を保つこととデザイン性向上との両立を図るとしているが、空気調和機が設置される床面は多様であり、その床面からの反射光を受光する形態では受信感度にバラツキが生じる可能性があった。
【０００７】
本発明はこのような点を鑑みなされたもので、運転状態を確認しやすく、また、ワイヤレスリモコン通信の受信感度を良好に保ちながらもデザイン性を向上することが可能な空気調和機を提供することを目的とする。
【課題を解決するための手段】
【０００８】
本発明に係る空気調和機は、吹き出し口が形成された吹き出し口面を有する室内機本体と、運転状態を表示する表示装置と、吹き出し口面の一部を切り欠いた部分に配置された、ワイヤレスリモコン通信の受光部とを備え、表示装置は、ワイヤレスリモコン通信の受信感度を妨げない半透明材料で構成され、且つ意匠面に運転状態を示す表示が記載された表示板と、表示板の運転状態を示す表示に向けて発光する発光素子とを備え、表示板が、受光部を前面側から覆い隠す位置に配置されており、表示板の意匠面裏には、発光素子からの光により内部が照らされた状態となる切り欠きで構成された発光表示部が表示と視覚的に関連付けて設けられ、表示板の下端面において発光表示部の真下が、下方に延長された突部となっているものである。
【発明の効果】
【０００９】
本発明によれば、受光部を意匠面前面側に設けながらも、従来のワイヤレスリモコン通信の受信感度を保つことができるといった機能的効果を有する。更に、意匠面前面から見た場合でも受光部により意匠面前面のデザイン性を損なうことがなく、また、意匠面前面に表示装置があることで運転状態の表示が一目で簡単に見ることができるといった構造的効果を有する。
【図面の簡単な説明】
【００１０】
【図１】本発明の実施の形態１に係わる空気調和機（室内機）の正面図である。
【図２】本発明の実施の形態１に係わる空気調和機（室内機）の縦断面図である。
【図３】本発明の実施の形態１に係わる空気調和機の要部（表示装置１０とワイヤレスリモコン通信の受光部２０）を含む一部を断面で示した概略斜視図である。
【図４】図３の要部の拡大断面斜視図である。
【図５】図２の表示装置１０の構成を示す図である。
【図６】図２の表示装置１０の正面図である。
【図７】図２のアクリル板１１の断面図である。
【図８】図２のワイヤレスリモコン通信の受光部２０の分解斜視図である。
【発明を実施するための形態】
【００１１】
以下、図面に基づいて本発明の実施の形態を説明する。なお、ここでは空気調和機の一例として、床置形の室内機を例にとって説明するが、本発明はこれに限らず４方向天井埋込形や壁掛け形等としても同様に適用可能とする。
【００１２】
実施の形態１．
以下、本発明の実施の形態１に係わる空気調和機（室内機）について図１〜図８を用いて説明する。図１は、本発明の実施の形態１に係わる空気調和機（室内機）の正面図である。図２は、本発明の実施の形態１に係わる空気調和機（室内機）の縦断面図である。
【００１３】
空気調和機は、室内機本体１内に、制御部２と、ファンモーター３と、ファン４と、ファン４のケーシング５と、熱交換器６と、ドレンパン７と、表示装置１０と、ワイヤレスリモコン通信の受光部２０とを備えている。室内機本体１の前面下部は吸込口８となっており、前面上部は吹き出し口９ａを備えた吹き出し口面９となっている。そして、吹き出し口９ａには、吹き出し口上下ベーン９ｂが設けられている。空気調和機は、ファン４の回転によって室内の空気を吸込口８から吸い込み、吸い込んだ空気をケーシング５を介して熱交換器６を通過させ、熱交換器６で熱交換後の空気を吹き出し口９ａから吹き出す。
【００１４】
図３は、本発明の実施の形態１に係わる空気調和機の要部（表示装置１０とワイヤレスリモコン通信の受光部２０）を含む一部を断面で示した概略斜視図である。図４は、図３の要部の拡大断面斜視図である。
【００１５】
まず表示装置１０について説明する。表示装置１０は、運転状態（設定温度や運転ＯＮ／ＯＦＦなど）を表示する装置であり、半透明材料で構成された表示板であるアクリル板１１と、表示基板１２と、表示基板１２に実装された発光素子であるＬＥＤ１３と、表示基板１２及びＬＥＤ１３の上方を覆う表示装置カバー１４とを備えている。アクリル板１１は、下端面が表示装置カバー１４の上面に支持され、吹き出し口面９の前方下部に垂直に立つように配置されている。アクリル板１１は材質がＰＭＭＡ（ポリメチルメタクリレート）であり、ワイヤレスリモコン通信における受光妨害の影響はなく、受光部２０の従来の受信感度を保つことが可能になっている。
【００１６】
図５は、図２の表示装置１０の構成を示す図である。図６は、図２の表示装置１０の正面図である。図７は、図２のアクリル板１１の断面図である。
アクリル板１１の正面（意匠面）１１ａには、図６及び図７に示すように、運転状態を示す表示として、現在の設定温度を示すための数字で構成された複数の温度表示１５ａと、運転ＯＮ／ＯＦＦを示す電源状態表示１５ｂとが印刷されている。温度表示１５ａは各温度の数の分だけ設けられており、アクリル板１１の長手方向に間隔を空けてアクリル板１１の意匠面１１ａに印刷（記載）されている。
【００１７】
そして、これらの運転状態を示す表示のそれぞれに対応して発光表示部１６ａ、１６ｂ（総称する場合は発光表示部１６という）が設けられている。具体的には、運転状態を示す表示１５のそれぞれの上に発光表示部１６が設けられ、表示１５と発光表示部１６とが１対１で対応している。ここでは、運転状態を示す表示のそれぞれの上に発光表示部１６を設けた例を示したが、発光表示部１６と運転状態を示す表示とが視覚的に関連付け可能に設けられていればよい。
【００１８】
発光表示部１６は、アクリル板１１の意匠面裏１１ｂ側を切り欠いた切り欠きで構成されている。この切り欠きの内周面は、意匠面裏１１ｂに対して略４５°の傾斜角の傾斜面１９ａと意匠面裏１１ｂに対して略垂直の垂直面１９ｂとで構成されている。そして、アクリル板１１の下端面において各発光表示部１６のそれぞれの真下は、下方に延長されて突部１７ａ、１７ｂ（総称する場合は突部１７という）となっている。そして、この突部１７に対向するように表示基板１２上にＬＥＤ１３が配置されている。つまり、発光表示部１６とＬＥＤ１３とが互いに関連付けられた状態で設けられている。
【００１９】
このように構成された表示装置１０では、ＬＥＤ１３が点灯すると、ＬＥＤ１３から発信された光がＬＥＤ１３の真上の突部１７に照射され、突部１７に照射された光がアクリル板１１を縦方向上方に垂直に透過して発光表示部１６を発光させる。すなわち、発光表示部１６を構成する切り欠きに照射された光が４５°の傾斜角により照射角度を変えて水平方向を照らす。つまり、４５°の傾斜角により照射角度を変えて水平方向を照らす。これにより、正面から見ると、アクリル板１１の切り欠きの内部が照らされて発光表示部１６が光って見え、現在の設定温度や電源のＯＮ／ＯＦＦが確認できるようになっている。図６には、温度２５℃の発光表示部１６ａと電源状態表示１５ｂの発光表示部１６ｂとが発光した状態を示している。この表示により、現在運転中で、設定温度が２５℃であることが分かる。
【００２０】
次に、ワイヤレスリモコン通信の受光部２０について説明する。
図８は、図２のワイヤレスリモコン通信の受光部２０の分解斜視図である。
受光部２０は、受光基板２１と、裏面側に受光基板２１を保持する受光部ホルダー２２と、受光部ホルダー２２の前面を覆う透光性の受光部表面カバー２３とを備えている。吹き出し口面９において受光部２０の配置箇所（この例では右下部分）には切り欠きが形成されており、その切り欠き部分に、受光部表面カバー２３の正面の一部が位置するようになっている。吹き出し口面９と受光部２０の色はここでは黒で統一されており、受光部２０が目立つことが無いようになっている。そして、空気調和機の正面から見たときに、受光部２０が表示装置１０のアクリル板１１内に収まるように、受光部２０とアクリル板１１との位置関係が調節されている。
【００２１】
受光部２０では、リモコン（図示せず）から送信された制御信号を受光基板２１に設けられた受光素子（図示せず）で受光し、その制御信号が制御部２へと送られ、制御信号に応じた制御が実施される。
【００２２】
このように受光部２０の前面をいわば覆い隠すアクリル板１１の意匠面１１ａには運転状態を示す表示（温度表示１５ａ、電源状態表示１５ｂ）が記載されているため、意匠面前面から見た際、受光部２０の存在が気にならなくなり、デザイン性の向上に繋がっている。また、表示装置１０は意匠面前面にあるため、運転状態を確認しやすい。つまり、受光部２０を意匠面前面側に設けながらも、受光部２０により意匠面前面のデザイン性を損なうことがなく、また、表示装置１０があることで運転状態の表示が一目で簡単に見ることができるといった構造的効果を有する。また、アクリル板１１の意匠面１１ａは、蛍光灯などの外部照明の光を反射するように構成されており、受光部２０をより見え難くしている。
【００２３】
また、受光部２０の受信感度について考えると、従来の特許文献１では、受光部が正面から直接見える形で空気調和機の意匠面前面に配置され、リモコンとの間に遮蔽物が無いのに対し、本実施の形態１の構造では、受光部２０の前方にアクリル板１１が配置されている。しかし、アクリル板１１は、ワイヤレスリモコン通信の受信感度を妨げない半透明材料で構成されているため、受光部２０の前面にアクリル板１１を配置しても、通信障害を招くことはなく機能性も維持できる。つまり、受光部２０と表示装置１０とを意匠面前面に設けながらも、従来のワイヤレスリモコン通信の受信感度を保つことができるといった機能的効果を有する。
【００２４】
また、表示装置１０と受光部２０を別体とすることで、構造上の制約がなくなり、裕度ある構造設計にも繋がっている。例えば、受光部２０が表示装置１０から離れているため、表示装置１０ではアクリル板１１だけの表示箇所を浮き上がらせる構造にすることを可能とした。また、表示箇所はアクリル板１１だけの同一形状のみを使用することで、より表示箇所の見やすさを追求することを可能とした。
【００２５】
なお、本実施の形態１では、アクリル板１１に切り欠きを設け、この切り欠きを発光することで発光表示部１６を構成したが、発光表示部１６の構成はこの構成に限られたものではない。他に例えば、アクリル板１１の温度表示１５ａ及び電源状態表示１５ｂのそれぞれの後方にＬＥＤ１３を配置し、ＬＥＤ１３を点灯することでその前方の温度表示１５ａ及び電源状態表示１５ｂを光らせることで発光表示部を構成してもよい。
【００２６】
また、本実施の形態１では、運転状態として設定温度と電源ＯＮ／ＯＦＦとを表示するようにしたが、表示内容はこれに限られたものではなく、任意である。
【符号の説明】
【００２７】
１  室内機本体、２  制御部、３  ファンモーター、４  ファン、５  ケーシング、６  熱交換器、７  ドレンパン、８  吸込口、９  吹き出し口面、９ａ  吹き出し口、９ｂ  吹き出し口上下ベーン、１０  表示装置、１１  アクリル板、１１ａ  意匠面、１１ｂ  意匠面裏、１２  表示基板、１３  ＬＥＤ、１４  表示装置カバー、１５  表示、１５ａ  温度表示、１５ｂ  電源状態表示、１６  発光表示部、１６ａ  発光表示部、１６ｂ  発光表示部、１７  突部、１７ａ  突部、１９ａ  傾斜面、１９ｂ  垂直面、２０  受光部、２１  受光基板、２２  受光部ホルダー、２３  受光部表面カバー。
【図１】
0006000209.tif 000002
【図２】
0006000209.tif 000003
【図３】
0006000209.tif 000004
【図４】
0006000209.tif 000005
【図５】
0006000209.tif 000006
【図６】
0006000209.tif 000007
【図７】
0006000209.tif 000008
【図８】
0006000209.tif 000009